(57)【要約】【課題】制御対象および監視対象を種別毎にまたは種別および個数を任意に組み合わせて、当該配置および動作状態を造営物のレイアウトとともに表示することのできる負荷制御システムを提供する。【解決手段】負荷制御システム１は、表示装置３の表示画面１３に、選択されたエリアの造営物のレイアウトを表示させるレイアウト表示制御手段１６と、選択されたエリアの制御対象８または監視対象１２を、種別毎にその配置および動作状態を前記造営物のレイアウトが表示された表示画面１３に表示させる種別表示制御手段１７と、選択されたエリアの制御対象８または監視対象１２を種別および個数を任意に組み合わせて、それぞれの配置および動作状態を前記造営物のレイアウトが表示された表示画面１３に表示させる運用表示制御手段１９を具備する。【選択図】図２
2006020016.tif 000002
【特許請求の範囲】
【請求項１】
複数の制御端末器および監視端末器が伝送線により接続されている主制御装置と；
複数種の制御対象または監視対象の配置図を表示可能な表示画面を有する表示装置と；
前記表示画面に、選択されたエリアの造営物のレイアウトを表示させるレイアウト表示制御手段と；
選択されたエリアの制御対象または監視対象を、種別毎にその配置および動作状態を前記造営物のレイアウトが表示された表示画面に表示させる種別表示制御手段と；
選択されたエリアの制御対象または監視対象を種別および個数を任意に組み合わせて、それぞれの配置および動作状態を前記造営物のレイアウトが表示された表示画面に表示させる運用表示制御手段と；
を具備していることを特徴とする負荷制御システム。
【請求項２】
運用表示制御手段により表示画面に表示される制御対象または監視対象は、種別表示制御手段により種別毎に表示画面に表示された制御対象または監視対象の配置図において設定可能であることを特徴とする請求項１記載の負荷制御システム。
【請求項３】
表示装置は、制御対象の動作状態を変更させる制御信号を演算生成して主制御装置に送出する主制御部を有し、運用表示制御手段または種別表示制御手段により表示画面に表示された制御対象の配置図および動作状態において、当該制御対象の動作状態の変更を設定可能であることを特徴とする請求項１または２記載の負荷制御システム。
【請求項４】
運用表示制御手段は、制御対象または監視対象の所定期間内の動作状態の変更回数に応じて、当該制御対象または監視対象を表示対象に設定または表示対象から除去することを特徴とする請求項１ないし３いずれか一記載の負荷制御システム。
【発明の詳細な説明】
【技術分野】
【０００１】
本発明は、複数種の制御対象または監視対象を遠隔地から制御監視することのできる負荷制御システムに関する。
【背景技術】
【０００２】
表示装置の画面に所定領域の照明負荷の動作状態を表示して、当該画面上で照明負荷の動作を制御することが行われている。例えば、表示装置の画面上で、遠隔地に配設されている照明負荷の点消灯状態を一括して監視するとともに、各照明負荷の点消灯を行う照明制御システムが提案されている（例えば、特許文献１参照。）。この照明制御システムは、例えば、一覧表のモニタ画面を見ながらモニタ画面上で必要に応じて手動モードに設定されているブロックの照明負荷の現在のＯＮ，ＯＦＦ状態をこれと逆の状態に設定変更することにより、遠隔地の事務所から遠隔操作で照明負荷を点灯または消灯することができる。
【０００３】
また、造営物の配置および照明負荷の位置を示すマップを端末器に設けた照明制御システムが提案されている（例えば、特許文献２参照。）。この従来技術の照明制御システムは、端末器のケースに、個別操作部に対応する部位で、造営物の内部の配置を表示した半透明のシート状のパネルが設けられている。そして、各照明負荷が配置されている場所を示すマップ上の位置に対応して個別表示部が配置されており、この個別表示部の状態によって照明負荷の状態を知ることができる。そして、個別操作部の操作により、各照明負荷の点消灯が可能となっている。
【特許文献１】特開平１１−１１１４７０号公報（第８頁、第４図）
【特許文献２】特開平４−５６５９５号公報（第４頁、第２図）
【発明の開示】
【発明が解決しようとする課題】
【０００４】
特許文献１は、照明負荷のみの制御監視を行うものであり、他の制御対象または監視対象を表示して制御監視していないものである。
【０００５】
また、特許文献２は、マップ上で固定された１種類の表示がなされ、固定された照明負荷の制御監視しかできないという欠点を有する。
【０００６】
本発明は、制御対象および監視対象を種別毎にまたは種別および個数を任意に組み合わせて、当該配置および動作状態を造営物のレイアウトとともに表示することのできる負荷制御システムを提供することを目的とする。
【課題を解決するための手段】
【０００７】
請求項１に記載の負荷制御システムの発明は、複数の制御端末器および監視端末器が伝送線により接続されている主制御装置と；複数種の制御対象または監視対象の配置図を表示可能な表示画面を有する表示装置と；前記表示画面に、選択されたエリアの造営物のレイアウトを表示させるレイアウト表示制御手段と；選択されたエリアの制御対象または監視対象を、種別毎にその配置および動作状態を前記造営物のレイアウトが表示された表示画面に表示させる種別表示制御手段と；選択されたエリアの制御対象または監視対象を種別および個数を任意に組み合わせて、それぞれの配置および動作状態を前記造営物のレイアウトが表示された表示画面に表示させる運用表示制御手段と；を具備していることを特徴とする。
【０００８】
本発明および以下の各発明において、特に言及しない限り、各構成は以下による。
【０００９】
「表示される造営物のレイアウト」とは、例えば、階段、エレベータ、分電盤などの電気設備、部屋の区画や壁の形状などの建築構造、間仕切り、ロッカー、机などの空間利用などを含み、表示画面に２次元（平面）、３次元（立体）のいずれで表示させてもよい。
【００１０】
制御対象は、制御端末器に接続され、例えば、照明負荷、換気扇やエアコンなどである。また、監視対象は、監視端末器に接続され、例えば、壁スイッチ、センサ装置、監視カメラなどである。そして、「種別」とは、これら照明負荷、換気扇、コアコン、壁スイッチ、センサ装置、監視カメラなどの個々のものをいう。
【００１１】
任意に組み合わされた個数の制御対象または監視対象は、例えば、全ての制御対象または監視対象のうち、使用頻度の多いものや位置的に重要なものとすることができる。
【００１２】
本発明によれば、種別表示制御手段による制御または運用表示制御手段による制御のどちらか一方を選択することにより、選択されたエリアの制御対象または監視対象が種別毎にその配置および動作状態が造営物のレイアウトとともに表示画面に表示され、または、種別および個数が任意に組み合わされて、それぞれの配置および動作状態が造営物のレイアウトとともに表示画面に表示される。そして、表示画面を視認することにより、選択されたエリアの制御対象または監視対象の制御監視が行える。
【００１３】
請求項２に記載の負荷制御システムの発明は、請求項１記載の負荷制御システムにおいて、運用表示制御手段により表示画面に表示される制御対象または監視対象は、種別表示制御手段により種別毎に表示画面に表示された制御対象または監視対象の配置図において設定可能であることを特徴とする。
【００１４】
本発明によれば、運用表示制御手段により表示画面に表示される種別および個数が任意に組み合わされた制御対象または監視対象は、種別表示制御手段により種別毎に表示画面に表示された制御対象または監視対象の配置図において容易に設定される。
【００１５】
請求項３に記載の負荷制御システムの発明は、請求項１または２記載の負荷制御システムにおいて、表示装置は、制御対象の動作状態を変更させる制御信号を演算生成して主制御装置に送出する主制御部を有し、運用表示制御手段または種別表示制御手段により表示画面に表示された制御対象の配置図および動作状態において、当該制御対象の動作状態の変更を設定可能であることを特徴とする。
【００１６】
本発明によれば、表示画面に表示された制御対象の配置図および動作状態において、当該制御対象の動作状態の変更が設定されると、主制御部は、当該制御対象の動作状態を変更させる制御信号を演算生成して主制御装置に送出し、主制御装置に接続されている制御端末器は、当該制御対象の動作状態を変更させる。
【００１７】
請求項４に記載の負荷制御システムの発明は、請求項１ないし３いずれか一記載の負荷制御システムにおいて、運用表示制御手段は、制御対象または監視対象の所定期間内の動作状態の変更回数に応じて、当該制御対象または監視対象を表示対象に設定または表示対象から除去することを特徴とする。
【００１８】
所定期間は、例えば前日、１週間などの任意の期間に設定することができる。また、例えば１週間または１ヵ月間の１日あたりの動作状態の変更回数としてもよい。
【００１９】
本発明によれば、制御対象または監視対象の所定期間内の動作状態の変更回数に応じて、運用表示制御手段により表示画面に表示される制御対象または監視対象が自動的に設定または除去される。
【発明の効果】
【００２０】
請求項１の発明によれば、選択されたエリアの制御対象または監視対象を種別および個数を任意に組み合わせて、それぞれの配置および動作状態を造営物のレイアウトが表示された表示画面に表示させることにより、造営物と制御対象または監視対象の位置関係を把握することができるとともに、表示画面での表示量が少なくなって表示画面が見やすくなり、制御対象または監視対象の制御監視を行いやすくすることができる。また、運用表示制御手段により表示画面に表示されない制御対象または監視対象は、種別表示制御手段により種別毎に表示された表示画面で制御監視することができる。
【００２１】
請求項２の発明によれば、運用表示制御手段により表示画面に表示される制御対象または監視対象を、種別表示制御手段により種別毎に表示画面に表示された制御対象または監視対象の配置図において設定することにより、容易に種別および個数を任意に組み合わせることができる。
【００２２】
請求項３の発明によれば、運用表示制御手段または種別表示制御手段により表示画面に表示された制御対象の配置図および動作状態において、当該制御対象の動作状態の変更を設定可能であるので、表示画面で制御対象の動作状態を容易に変更することができる。
【００２３】
請求項４の発明によれば、運用表示制御手段は、制御対象または監視対象の所定期間内の動作状態の変更回数に応じて、当該制御対象または監視対象を表示対象に設定または表示対象から除去するので、制御対象または監視対象を自動的に表示画面に表示させることができ、制御対象または監視対象の制御監視を行いやすくすることができる。
【発明を実施するための最良の形態】
【００２４】
以下、本発明の一実施の形態について、図面を参照して説明する。
【００２５】
図１〜図７は、本発明の一実施の形態を示し、図１は照明制御システムのブロック図、図２は表示装置のブロック図、図３は当初の表示画面図、図４は選択された階数を示す表示画面図、図５は種別画面を示し、図５（ａ）は照明負荷の表示画面図、図５（ｂ）は人感センサの表示画面図、図５（ｃ）はグループの表示画面図、図６は運用画面図、図７は動作状態の変更を示す表示画面図である。
【００２６】
図１において、照明制御システム１は、負荷制御システムを構成し、複数個の主制御装置２と表示装置３が、直接、通信ケーブル４により接続されて構成されている。そして、主制御装置２は、伝送線５を介して複数の制御端末器６および監視端末器７に接続されている。
【００２７】
制御端末器６は、例えば蛍光ランプである照明負荷８を装着している照明器具９が接続され、主制御装置２から伝送された制御信号に応じて照明負荷８を点消灯または調光するように構成されている。照明負荷８および照明器具９は、制御端末器６に接続される制御対象となっている。
【００２８】
また、監視端末器７は、部屋や廊下などの壁面に配設された壁スイッチ１０や天井面に配設された例えば人感センサ１２を有するセンサ装置１１などからなり、照明負荷８の動作状態を変更させる変更信号を主制御装置２に出力するように構成されている。壁スイッチ１０およびセンサ装置１１（人感センサ１２）は、監視端末器７に接続される監視対象となっている。
【００２９】
主制御装置２は、照明負荷８などの制御対象を監視制御するものであり、例えば、建物の階数（例えば、１Ｆ〜６Ｆ）ごとに設置されている。そして、例えば、表示装置３や監視端末器７からの制御要求に応じて、照明負荷８の動作状態を制御する制御信号を制御端末器６に出力するように構成されている。主制御装置２、制御端末器６、照明負荷８、壁スイッチ１０およびセンサ装置１１などは、それぞれアドレスが設定されている。
【００３０】
表示装置３は、例えばパーソナルコンピュータ（ＰＣ）からなり、統括監視装置としても機能している。そして、全ての主制御装置２に通信線４を介して接続され、建物の全ての照明負荷８などの制御対象を制御監視するように構成されている。すなわち、主制御装置２から制御端末器６（照明負荷８）や監視端末器７の動作状態が伝送され、主制御装置２に照明負荷８の動作状態を制御する制御信号を伝送するように構成されている。そして、表示画面１３に、造営物のレイアウトの配置とともに、複数種の照明負荷８などの制御対象または人感センサ１２などの監視対象の配置図を表示し、かつ、制御対象または監視対象の動作状態を表示可能に形成されている。
【００３１】
表示装置３は、図２に示すように、送受信部１４、主制御部１５、レイアウト表示制御手段１６、種別表示制御手段１７、運用表示制御手段１８、操作入力手段１９、揮発性の記憶部２０および不揮発性の記憶部２１を有して構成されている。
【００３２】
送受信部１４は、伝送線４を介して主制御装置２に照明負荷８などの制御対象の動作状態を変更させる制御信号を送信するとともに、主制御装置２から制御端末器６（照明負荷８などの制御対象）および監視端末器７（監視対象）の動作状態などの監視データを受信するように構成されている。
【００３３】
主制御部１５は、照明負荷８（制御対象）の動作状態を制御する制御信号を演算生成するとともに、送受信部１４が受信した監視データを揮発性の記憶部２０に記憶させるように形成されている。また、操作入力手段１９からの操作信号に応じて、レイアウト表示制御手段１６〜運用表示制御手段１８などを制御するなど、各種の制御を行う。
【００３４】
レイアウト表示制御手段１６は、主制御部１５の制御に応じて、表示装置３の表示画面１３に、選択されたエリアの造営物のレイアウトを表示させるように形成されている。
【００３５】
種別表示制御手段１７は、主制御部１５の制御に応じて、選択されたエリアの制御対象または監視対象を、種別毎にその配置および動作状態をレイアウト表示制御手段１６によって造営物のレイアウトが表示された表示画面１３に表示させるように形成されている。例えば、制御対象の照明負荷８および照明負荷８のグループ、監視対象のセンサ装置１１の人感センサ１２のそれぞれの配置および動作状態が表示される。照明負荷８、照明負荷８のグループまたは人感センサ１２は、それぞれ制御対象または監視対象の種別を形成している。
【００３６】
そして、照明負荷８および照明負荷８のグループの動作状態は、点灯、消灯および調光であり、例えば、それぞれ赤色、青色および緑色で表示される。また、人感センサ１２の動作状態は、例えば人感センサ１２が人体を検出して照明負荷８が制御されているとき、人感センサ１２が人体を検出していないときであり、それぞれ赤色および青色で表示される。
【００３７】
運用表示制御手段１８は、主制御部１５の制御に応じて、選択されたエリアの制御対象または監視対象を、種別および個数を任意に組み合わせて、それぞれの配置および動作状態をレイアウト表示制御手段１６によって造営物のレイアウトが表示された表示画面１３に表示させるように形成されている。例えば、選択されたエリアの全ての照明負荷８のうちの予め選択された照明負荷８、全ての人感センサ１２のうちの予め選択された人感センサ１２および全ての照明負荷８のグループのそれぞれの配置および動作状態が表示される。
【００３８】
操作入力手段１９は、例えばマウスやキーボードなどからなり、操作信号を主制御部１５に出力するように形成されている。
【００３９】
揮発性の記憶部２０は、送受信部１４が受信した監視データなどを上書きして記憶するように形成されている。
【００４０】
また、不揮発性の記憶部２１は、エリア毎の造営物のレイアウトや、照明負荷８および当該グループなどの制御対象、壁スイッチ１０および人感センサ１２などの監視対象のそれぞれの配置の位置が記憶されている。また、主制御装置２、制御端末器６、照明負荷８、壁スイッチ１０、センサ装置１１および人感センサ１２などのそれぞれのアドレスが記憶されている。その他、各種データなどが記憶されている。
【００４１】
次に、表示装置３の表示動作について説明する。
【００４２】
表示装置３の表示画面１３には、図３に示すように、レイアウト表示制御手段１６および運用表示制御手段１８等の動作により、主表示領域２２に運用画面が表示されている。当初、主表示領域２２には、例えば、建物の１階の運用画面を表示するように設定されている。また、表示画面１３の一端側１３ａに階数、グループ、センサ、個別の各モード２３〜２６が表示され、さらに運用画面および種別画面の各モード２７，２８が表示される。これらの階数モード２３〜種別画面モード２８は、操作入力手段１９を構成している。
【００４３】
階数モード２３は、建物の階数を選択するものである。階数モード２３のツールバー２３ａにポインタ２９を移動させ、マウスをクリックすると、図４に示すように、建物の階数１Ｆ〜６Ｆが表示される。そして、所望の階数例えば３Ｆにポインタ２９を移動させ、マウスをクリックすることにより、建物の３階が設定される。主表示領域２２には、建物の３階の造営物のレイアウト、照明負荷８、当該グループおよび人感センサ１２の配置および動作状態の運用画面が表示される。
【００４４】
グループモード２４〜種別画面モード２８も、階数モード２３と同様、それぞれの箇所にポインタ２９を移動させ、マウスをクリックすることにより選択される。
【００４５】
グループモード２４は、照明負荷８のグループに対して、造営物のレイアウトとともに、当該グループの配置および動作状態を表示させるものである。また、センサモード２５は、造営物のレイアウトとともに、人感センサ１２の配置および動作状態を表示させるものである。また、個別モード２６は、造営物のレイアウトとともに、照明負荷８の配置および動作状態を表示させるものである。
【００４６】
運用画面モード２７は、階数モード２３で選択された建物の階数に配設されている全ての照明負荷８のうちの予め選択された照明負荷８の配置および動作状態を表示させ、同じく、全ての人感センサ１２のうちの予め選択された人感センサ１２の配置および動作状態を表示させ、さらに、照明負荷８のグループの配置および動作状態を造営物のレイアウトとともに表示させるものである。すなわち、表示画面１３の主表示領域２２に運用画面を表示させる。
【００４７】
また、種別画面モード２８は、階数モード２３で選択された建物の階数において、全ての照明負荷８、全ての人感センサ１２または全ての前記グループを主表示領域１１に個別に表示させるものである。すなわち、種別画面モード２８を選択して個別モード２６を選択すると、図５（ａ）に示すように、表示画面１３の主表示領域２２に、建物の３階の造営物のレイアウトとともに、全ての照明負荷８の配置および動作状態が表示される。照明負荷８の位置は、塗りつぶした小円３０のシンボルで表示されている。また、照明負荷８の動作状態は、小円３０の表示が点灯のとき赤色、消灯のとき青色、調光のとき緑色となるように予め設定されている。
【００４８】
造営物は、表示画面１３の主表示領域２２に２次元で表示されている。造営物として、エレベータ３１、階段３２、部屋３３ａ〜３３ｄ、更衣室３４、通路３５，３６および通路３７などが現されている。
【００４９】
造営物のレイアウトとともに全ての照明負荷８の配置が表示画面１３に表示され、かつ照明負荷８の動作状態が表示されるので、表示画面１３を視認することによって、造営物と照明負荷８の位置関係が容易に把握され、照明負荷８の動作状態の監視、制御が容易に行える。
【００５０】
また、図３において、種別画面モード２８を選択してセンサモード２５を選択すると、図５（ｂ）に示すように、表示画面１３の主表示領域２２に、建物の３階の造営物のレイアウトとともに、全ての人感センサ１２の配置および動作状態が表示される。人感センサ１２の位置は、塗りつぶした三角３８のシンボルで表示されている。また、人感センサ１２の動作状態は、三角３８の表示に対して、人感センサ１２が人体を検出して照明負荷８を制御しているときに赤色、人感センサ１２が人体を検出していないときに青色となるように予め設定している。表示画面１３において三角３８の表示を視認することにより、造営物と人感センサ１２の位置関係が容易に把握され、人感センサ１２の動作状態の監視が容易に行える。
【００５１】
また、図３において、種別画面モード２８を選択してグループモード２４を選択すると、図５（ｃ）に示すように、表示画面１３の主表示領域２２に、建物の３階の造営物のレイアウトとともに、全ての照明負荷８のグループの位置および動作状態が表示される。当該グループを特定する位置は、塗りつぶした大円２８のシンボルで表示されている。また、当該グループの動作状態は、大円３９の表示が点灯のとき赤色、消灯のとき青色、調光のとき緑色となるように予め設定されている。
【００５２】
照明負荷８は、部屋３３ａ〜３３ｄ、通路３５、通路３６ごとにそれぞれ１つにグループ化され、通路３７で４つにグループ化されている。これらのグループにはアドレスが設定されている。そして、表示画面１３を視認することにより、造営物と照明負荷８のグループの位置関係が容易に把握され、当該グループの照明負荷８の動作状態の監視、制御が容易に行える。
【００５３】
このように、種別画面モード２８および個別、センサ、グループの各モード２４〜２６は、表示画面１３の主表示領域２２に全ての照明負荷８、全ての人感センサ１２、全てのグループのそれぞれの配置および動作状態を造営物のレイアウトとともに個別に表示させ、表示画面１３に種別画面を形成させる。
【００５４】
上述したように、表示画面１３において、階数モード２３〜種別画面モード２８が選択されると、操作入力手段１９から主制御部１５に操作信号が送出され、主制御部１５は、レイアウト表示制御手段１６、種別表示制御手段１７および運用表示制御手段１８を制御して、表示画面１３に運用画面または種別画面を表示させる。
【００５５】
そして、運用画面モード２７が選択されると、図６に示すように、表示画面１３の主表示領域２２に運用画面４０が表示される。この運用画面４０は、建物の３階の全ての照明負荷８のうちの予め選択された照明負荷８の配置および動作状態と、全ての人感センサ１２のうちの予め選択された人感センサ１２の配置および動作状態と、照明負荷８のグループの配置および動作状態とが造営物のレイアウトとともに表示されている。すなわち、図５（ａ）に示す全ての照明負荷８のうち、部屋３３ａ〜３３ｄに配設されている照明負荷８に対して、その配置および動作状態が表示されている。また、図５（ｂ）に示す全ての人感センサ１２のうち、通路３５，３６および通路３７に配設されている人感センサ１２に対して、その配置および動作状態が表示されている。そして、照明負荷８のグループに対しては、図４（ｃ）と同様、全てのグループが表示されている。
【００５６】
このように、運用表示制御手段１８により表示画面１３に表示される運用画面４０は、照明負荷８、当該グループおよび人感センサ１２の種別および個数を任意に組み合わせている。ここで、運用画面４０は、照明負荷８、当該グループおよび人感センサ１２の３種別からなる必要はなく、３種別の中の任意の１種または２種とすることができる。そして、運用画面４０で表示される照明負荷８、当該グループおよび人感センサ１２は、それぞれ図５（ａ）〜図５（ｃ）に示す種別画面で設定することができる（後述する。）。
【００５７】
運用画面４０は、照明負荷８、当該グループおよび人感センサ１２の種別および個数を任意に組み合わせて形成されるので、表示画面１３の主表示領域２２における表示量が少なくなって表示画面１３が見やすくなる。この結果、表示画面１３において、照明負荷８、人感センサ１２および照明負荷８のグループの制御監視が容易に行えるようになる。
【００５８】
次に、制御対象の動作状態の変更について説明する。
【００５９】
例えば、照明負荷８のグループの動作状態を変更するには、図７に示すように、当該グループの種別画面４１において、例えばエレベータ３１前に位置する当該グループの表示位置３９ａにポインタ２９を移動して、マウスをクリックする。すると、ＯＮ（点灯）、ＯＦＦ（消灯）、調光およびプロファイルの一覧表４２が表示される。
【００６０】
いま、当該グループの照明負荷８は、赤色に表示され点灯状態であるので、点灯から消灯（調光）させるときは、ポインタ２９を一覧表４２のＯＦＦ（消灯）の位置（調光の位置）に移動させ、マウスをクリックする。図３において、操作入力手段１９から主制御部１５に操作信号が送出され、主制御部１５は、照明負荷８を消灯（調光）させる制御信号を演算生成して、アドレスとともに、送受信部１４から主制御装置３に伝送させる。
【００６１】
建物の３階に設置されている主制御装置３は、当該制御信号を受信して、さらに当該アドレスを有する制御端末器６に伝送させる。そして、制御端末器６により、当該グループの照明負荷８が消灯（調光）される。
【００６２】
また、照明負荷８の動作状態の変更は、図５（ａ）に示す種別画面または図６に示す運用画面４０において、上述のようにして行うことができる。
【００６３】
このように、運用表示制御手段１８または種別表示制御手段１７により表示画面１３に表示された制御対象（照明負荷８または当該グループ）の配置図および動作状態において、当該制御対象の動作状態の変更を設定可能である。したがって、表示画面１３で制御対象の動作状態を容易に変更することができる。
【００６４】
次に、運用表示制御手段１８により表示画面１３に表示される制御対象または監視対象の設定について説明する。
【００６５】
例えば、照明負荷８のグループを運用画面４０に表示させるように変更するには、図７に示すように、プロファイルの一覧表４２を表示した状態で、一覧表４２のプロファイルにポインタ２９を移動させ、マウスをクリックする。すると、さらにプロファイル表４３が表示される。プロファイル表４３には、当該グループのポイント名称（位置）、動作状態、建物の階数（フロア）、照明負荷８が接続されている主制御装置２、制御または監視の種別、アドレス、名前（名称）および運用画面表示の項目が表示される。
【００６６】
そして、運用画面表示の項目のチェック欄４４にマウスのポインタ２９を移動させてマウスをクリックし、チェック欄４４にチェック印４５を表示される。そして、ポインタ２９をＯＫ部４３ａに移動させてマウスをクリックすると、主制御部１５は、エレベータ３１前に位置する照明負荷８のグループを表示対象として、不揮発性の記憶部２１に記憶させる。以下、部屋３３ｂ，３３ｄ、通路３７の階段３２前などにそれぞれ位置する照明負荷８のグループに対しても同様に設定される。
【００６７】
また、照明負荷８に対する設定は、図５（ａ）に示す種別画面において、人感センサ１２に対する設定は、図５（ｂ）に示す種別画面において、上述のようにして行うことができる。
【００６８】
このように、運用表示制御手段１８により表示画面１３に表示される制御対象（照明負荷８および当該グループ）または監視対象（人感センサ１２）は、種別表示制御手段１７により種別毎に表示画面１３に表示された制御対象または監視対象の配置図において設定可能である。したがって、制御対象または監視対象を、表示画面１３で種別および個数を任意に組み合わせることができ、表示対象を容易に設定することができる。
【００６９】
また、表示対象の制御対象（照明負荷８および当該グループ）または監視対象（人感センサ１２）は、制御対象または監視対象の所定期間内の動作状態の変更回数に応じて、当該制御対象または監視対象を表示対象に設定または表示対象から除去するように構成することもできる。
【００７０】
例えば、１週間（所定期間）内の壁スイッチ１０または人感センサ１２などの制御対象に基づく照明負荷８の点滅回数（動作状態の変更回数）が所定の回数になると、主制御部１５は、当該照明負荷８を表示対象として、不揮発性の記憶部２１に記憶させる。これにより、運用表示制御手段１８は、当該照明負荷８の配置および動作状態を表示画面１３に表示させる。
【００７１】
また、表示対象として不揮発性の記憶部２１に記憶されている照明負荷８が所定期間（１週間）内に所定の回数以上点滅しないと、主制御部１５は、当該照明負荷８を表示対象とせず、不揮発性の記憶部２１から消去する。これにより、運用表示制御手段１８は、当該照明負荷８の配置および動作状態を表示画面１３に表示しない。
【００７２】
また、監視対象である壁スイッチ１０または人感センサ１２についても、上記同様、所定期間内のオンオフ回数（動作状態の変更回数）に応じて、表示対象に設定または表示対象から除去させることができる。
【００７３】
このように、制御対象（照明負荷８および当該グループ）または監視対象（壁スイッチ１０および人感センサ１２）は、所定期間内の動作状態の変更回数に応じて、自動的に、表示対象に設定または表示対象から除去させることができる。したがって、制御対象または監視対象が自動的に表示画面１３に表示され、制御対象または監視対象の制御監視を行いやすくすることができる。
【００７４】
そして、図７において、プロファイル表４３のアドレスの項目を視認することにより、エレベータ３１前に位置する照明負荷のグループのアドレスが容易に判別される。そして、アドレス（名前）を変更するときは、アドレスの表示箇所（名前の表示箇所）をマウスでドラッグさせ、キーボードから変更名を入力する。そして、ＯＫ部４３ａにポインタ２９を移動させてマウスをクリックすると、主制御部１５は、不揮発性の記憶部２１に変更したアドレス（名前）を変更前のアドレス（名前）に上書きするようにして記憶させる。
【図面の簡単な説明】
【００７５】
【図１】本発明の一実施の形態を示す照明制御システムのブロック図。
【図２】同じく、表示装置のブロック図。
【図３】同じく、当初の表示画面図。
【図４】同じく、選択された階数を示す表示画面図。
【図５】同じく、種別画面を示し、図５（ａ）は照明負荷の表示画面図、図５（ｂ）は人感センサの表示画面図、図５（ｃ）はグループの表示画面図。
【図６】同じく、運用画面図。
【図７】同じく、動作状態の変更を示す表示画面図。
【符号の説明】
【００７６】
１…負荷制御システムとしての照明制御システム
２…主制御装置
３…表示装置
１６…レイアウト表示制御手段
１７…種別表示制御手段
１８…運用表示制御手段
【図１】
2006020016.tif 000003
【図２】
2006020016.tif 000004
【図３】
2006020016.tif 000005
【図４】
2006020016.tif 000006
【図５】
2006020016.tif 000007
【図６】
2006020016.tif 000008
【図７】
2006020016.tif 000009